(57)【要約】【課題】本発明は、電子映像機器及びその駆動方法に関し、立体映像を表示する間の解像度の減少を防止し、立体映像を鮮明に表示することができる技術である。【解決手段】本発明による電子映像機器は、複数の走査信号を伝達する複数の走査線、複数のデータ信号を伝達する複数のデータ線、及び前記走査線及び前記データ線に連結された複数の画素を含み、第１領域及び第２領域に区分される表示部；及び前記第１領域の複数の画素及び前記第２領域の複数の画素の各々に第１駆動電圧及び第２駆動電圧を生成して供給する電圧供給部；を含み、前記電圧供給部は、前記表示部全体に第１順序で合成された第１立体映像が表示された後、前記第１領域に前記第１順序と異なる第２順序で合成された第２立体映像が表示される時点に、前記第１駆動電圧をオフ電圧に生成して供給する。【選択図】図１
2010181854.tif 000002
【特許請求の範囲】
【請求項１】
複数の走査信号を伝達する複数の走査線、複数のデータ信号を伝達する複数のデータ線、及び前記走査線及び前記データ線に連結された複数の画素を含み、第１領域及び第２領域に区分される表示部；及び
前記第１領域の複数の画素及び前記第２領域の複数の画素の各々に第１駆動電圧及び第２駆動電圧を生成して供給する電圧供給部；を含み、
前記電圧供給部は、前記表示部全体に第１順序で合成された第１立体映像が表示された後、前記第１領域に前記第１順序と異なる第２順序で合成された第２立体映像が表示される時点に、前記第１駆動電圧をオフ電圧に生成して供給する、電子映像機器。
【請求項２】
前記電圧供給部は、前記第１領域全体に前記第２立体映像が表示された後、前記第２領域に前記第２立体映像が表示される時点に、前記第２駆動電圧をオフ電圧に生成して供給し、前記第１駆動電圧をオン電圧に生成して供給する、請求項１に記載の電子映像機器。
【請求項３】
前記第１立体映像を表示するための第１サブバリア及び前記第２立体映像を表示するための第２サブバリアを含むバリア部をさらに含む、請求項２に記載の電子映像機器。
【請求項４】
前記表示部全体に前記第１立体映像が表示される期間及び前記第１領域全体に前記第２立体映像が表示される期間の間は、前記第１サブバリアは不透過領域であり、前記第２サブバリアは透過領域であり、前記第２領域に前記第２立体映像が表示される時点から、前記第２サブバリアは不透過領域になり、前記第１サブバリアは透過領域になる、請求項３に記載の電子映像機器。
【請求項５】
前記複数の画素の各々は、
前記走査信号によってターンオンされて前記データ信号を伝達するスイッチング素子；
前記第１駆動電圧及び第２駆動電圧のうちのいずれか１つが印加される第１電極及び前記スイッチング素子を通じて前記データ信号が入力される第２電極を含み、前記第１電極及び前記第２電極の電圧差に対応する電流を発生させる駆動トランジスタ；及び
前記駆動トランジスタの前記第２電極に連結され、前記電流によって発光する有機発光素子；を含む、請求項２に記載の電子映像機器。
【請求項６】
前記第１順序は左眼映像及び右眼映像の順であり、前記第２順序は前記右眼映像及び前記左眼映像の順である、請求項１に記載の電子映像機器。
【請求項７】
複数の走査信号を伝達する複数の走査線、複数のデータ信号を伝達する複数のデータ線、及び前記走査線及び前記データ線に連結された複数の画素を含み、第１領域及び第２領域に区分される表示部；及び
前記第１領域の複数の画素及び前記第２領域の複数の画素の各々に前記複数の画素の発光を制御する第１発光制御信号及び第２発光制御信号を生成して印加する制御部；を含み、
前記制御部は、前記表示部全体に第１順序で合成された第１立体映像が表示された後、前記第１領域に前記第１順序と異なる第２順序で合成された第２立体映像が表示される時点に、前記第１発光制御信号をオフ電圧に生成して印加する、電子映像機器。
【請求項８】
前記制御部は、前記第１領域全体に前記第２立体映像が表示された後、前記第２領域に前記第２立体映像が表示される時点に、前記第２発光制御信号をオフ電圧に生成して印加し、前記第１発光制御信号をオン電圧に生成して印加する、請求項７に記載の電子映像機器。
【請求項９】
前記第１立体映像を表示するための第１サブバリア及び前記第２立体映像を表示するための第２サブバリアを含むバリア部をさらに含む、請求項８に記載の電子映像機器。
【請求項１０】
前記表示部全体に前記第１立体映像が表示される期間及び前記第１領域全体に前記第２立体映像が表示される期間の間は、前記第１サブバリアは不透過領域であり、前記第２サブバリアは透過領域であり、前記第２領域に前記第２立体映像が表示される時点から、前記第２サブバリアは不透過領域になり、前記第１サブバリアは透過領域になる、請求項９に記載の電子映像機器。
【請求項１１】
前記複数の画素の各々は、
前記走査信号によってターンオンされて前記データ信号を伝達するスイッチング素子；
前記スイッチング素子の出力によって駆動されて電流を発生させる駆動トランジスタ；前記電流によって発光する有機発光素子；及び
前記駆動トランジスタ及び前記有機発光素子の間に連結され、前記第１発光制御信号及び第２発光制御信号のうちのいずれか１つによってターンオンされて前記電流を前記有機発光素子に供給する発光制御トランジスタ；を含む、請求項７に記載の電子映像機器。
【請求項１２】
前記第１順序は左眼映像及び右眼映像の順であり、前記第２順序は前記右眼映像及び前記左眼映像の順である、請求項７に記載の電子映像機器。
【請求項１３】
第１サブバリア及び第２サブバリアから構成されたバリア、複数の駆動トランジスタ、及び前記複数の駆動トランジスタに連結された複数の発光素子を含む複数の画素が配列されている表示部を含む電子映像機器の駆動方法において、
前記表示部の複数の画素のうちの複数の第１画素が位置した第１領域及び前記複数の画素のうちの他の複数の第２画素が位置した第２領域全体に第１順序で合成された第１立体映像が表示される段階；及び
前記第１領域に前記第１順序と異なる第２順序で合成された第２立体映像が表示され始めると、前記複数の第１画素をオフさせる段階；を含む、電子映像機器の駆動方法。
【請求項１４】
前記複数の第１画素をオフさせる段階は、前記駆動トランジスタに印加される駆動電圧をオフ電圧にして行う、請求項１３に記載の電子映像機器の駆動方法。
【請求項１５】
前記第２領域に前記第２立体映像が表示される時点に、前記複数の第２画素をオフさせる段階；及び
前記第１領域全体に前記第２立体映像が表示されると、前記複数の第１画素をオンさせる段階；をさらに含む、請求項１３に記載の電子映像機器の駆動方法。
【請求項１６】
前記表示部全体に前記第１立体映像が表示される期間及び前記第１領域全体に前記第２立体映像が表示される期間の間は、前記第１サブバリアを不透過領域にし、前記第２サブバリアを透過領域にする段階；及び
前記第２領域に前記第２立体映像が表示される時点から、前記第２サブバリアを不透過領域にし、前記第１サブバリアを透過領域にする段階；をさらに含む、請求項１５に記載の電子映像機器の駆動方法。
【請求項１７】
前記第１順序は左眼映像及び右眼映像の順であり、前記第２順序は前記右眼映像及び前記左眼映像の順である、請求項１５に記載の電子映像機器の駆動方法。
【請求項１８】
第１サブバリア及び第２サブバリアから構成されたバリア、複数の駆動トランジスタ、複数の発光素子、及び発光制御信号によって前記複数の駆動トランジスタ及び前記複数の発光素子を選択的に連結する複数の発光制御トランジスタを含む複数の画素が配列されている表示部を含む電子映像機器の駆動方法において、
前記表示部の複数の画素のうちの複数の第１画素が位置した第１領域及び前記複数の画素のうちの他の複数の第２画素が位置した第２領域全体に第１順序で合成された第１立体映像が表示される段階；
前記第１領域に前記第１順序と異なる第２順序で合成された第２立体映像が表示され始めると、前記複数の第１画素の前記発光制御トランジスタをターンオフさせる段階；及び
前記第２領域に前記第２立体映像が表示され始める時点に、前記複数の第１画素の前記発光制御トランジスタをターンオンさせ、前記複数の第２画素の前記発光制御トランジスタをターンオフさせる段階；を含む、電子映像機器の駆動方法。
【発明の詳細な説明】
【技術分野】
【０００１】
本発明は、電子映像機器に関し、特に、立体映像及び平面映像を表示する電子映像機器及びその駆動方法に関する。
【背景技術】
【０００２】
一般に、人が立体感を感じる要因としては、生理的な要因及び経験的な要因があるが、３次元映像表示技術では、近距離で立体感を認識する最も大きな要因である両眼視差（ｂｉｎｏｃｕｌａｒ ｐａｒａｌｌａｘ）を利用して、物体の立体感を表現する。立体映像を表示する電子映像機器は、光学素子を利用し、左右映像を空間的に分離して、立体映像を見ることができるようにする方式を使用する。代表的なものとしては、レンチキュラーレンズアレイ（ｌｅｎｔｉｃｕｌａｒ ｌｅｎｓ ａｒｒａｙ）を利用する方式及びパララックスバリア（ｐａｒａｌｌａｘ ｂａｒｒｉｅｒ）を利用する方式がある。
【０００３】
このように立体映像を表示する場合、映像を左側の目（左眼）に映る映像（以下、左眼映像とする）及び右側の目（右眼）に映る映像（以下、右眼映像とする）に分離するので、立体映像の解像度が半分に減少する問題がある。
【発明の概要】
【発明が解決しようとする課題】
【０００４】
本発明は、立体映像を表示する間の解像度の減少を防止し、立体映像を鮮明に表示することができる、電子映像機器及びその駆動方法を提供することを目的とする。
【課題を解決するための手段】
【０００５】
本発明による電子映像機器は、複数の走査信号を伝達する複数の走査線、複数のデータ信号を伝達する複数のデータ線、及び前記走査線及び前記データ線に連結された複数の画素を含み、第１領域及び第２領域に区分される表示部；及び前記第１領域の複数の画素及び前記第２領域の複数の画素の各々に第１駆動電圧及び第２駆動電圧を生成して供給する電圧供給部；を含み、前記電圧供給部は、前記表示部全体に第１順序で合成された第１立体映像が表示された後、前記第１領域に前記第１順序と異なる第２順序で合成された第２立体映像が表示される時点に、前記第１駆動電圧をオフ電圧に生成して供給する。ここで、前記電圧供給部は、前記第１領域全体に前記第２立体映像が表示された後、前記第２領域に前記第２立体映像が表示される時点に、前記第２駆動電圧をオフ電圧に生成して供給し、前記第１駆動電圧をオン電圧に生成して供給する。そして、前記第１立体映像を表示するための第１サブバリア及び前記第２立体映像を表示するための第２サブバリアを含むバリア部をさらに含む。また、前記表示部全体に前記第１立体映像が表示される期間及び前記第１領域全体に前記第２立体映像が表示される期間の間は、前記第１サブバリアは不透過領域であり、前記第２サブバリアは透過領域であり、前記第２領域に前記第２立体映像が表示される時点から、前記第２サブバリアは不透過領域になり、前記第１サブバリアは透過領域になる。前記複数の画素の各々は、前記走査信号によってターンオンされて前記データ信号を伝達するスイッチング素子；前記第１駆動電圧及び第２駆動電圧のうちのいずれか１つが印加される第１電極及び前記スイッチング素子を通じて前記データ信号が入力される第２電極を含み、前記第１電極及び前記第２電極の電圧差に対応する電流を発生させる駆動トランジスタ；及び前記駆動トランジスタの前記第２電極に連結され、前記電流によって発光する有機発光素子；を含む。前記第１順序は左眼映像及び右眼映像の順であり、前記第２順序は前記右眼映像及び前記左眼映像の順である。
【０００６】
そして、本発明による電子映像機器は、複数の走査信号を伝達する複数の走査線、複数のデータ信号を伝達する複数のデータ線、及び前記走査線及び前記データ線に連結された複数の画素を含み、第１領域及び第２領域に区分される表示部；及び前記第１領域の複数の画素及び前記第２領域の複数の画素の各々に前記複数の画素の発光を制御する第１発光制御信号及び第２発光制御信号を生成して印加する制御部；を含み、前記制御部は、前記表示部全体に第１順序で合成された第１立体映像が表示された後、前記第１領域に前記第１順序と異なる第２順序で合成された第２立体映像が表示される時点に、前記第１発光制御信号をオフ電圧に生成して印加する。ここで、前記制御部は、前記第１領域全体に前記第２立体映像が表示された後、前記第２領域に前記第２立体映像が表示される時点に、前記第２発光制御信号をオフ電圧に生成して印加し、前記第１発光制御信号をオン電圧に生成して印加する。そして、前記第１立体映像を表示するための第１サブバリア及び前記第２立体映像を表示するための第２サブバリアを含むバリア部をさらに含む。また、前記表示部全体に前記第１立体映像が表示される期間及び前記第１領域全体に前記第２立体映像が表示される期間の間は、前記第１サブバリアは不透過領域であり、前記第２サブバリアは透過領域であり、前記第２領域に前記第２立体映像が表示される時点から、前記第２サブバリアは不透過領域になり、前記第１サブバリアは透過領域になる。前記複数の画素の各々は、前記走査信号によってターンオンされて前記データ信号を伝達するスイッチング素子；前記スイッチング素子の出力によって駆動されて電流を発生させる駆動トランジスタ；前記電流によって発光する有機発光素子；を含む。前記第１順序は左眼映像及び右眼映像の順であり、前記第２順序は前記右眼映像及び前記左眼映像の順である。
【０００７】
また、本発明による第１サブバリア及び第２サブバリアから構成されたバリア、複数の駆動トランジスタ、及び前記複数の駆動トランジスタに連結された複数の発光素子を含む複数の画素が配列されている表示部を含む電子映像機器の駆動方法は、前記表示部の複数の画素のうちの複数の第１画素が位置した第１領域及び前記複数の画素のうちの他の複数の第２画素が位置した第２領域全体に第１順序で合成された第１立体映像が表示される段階；及び前記第１領域に前記第１順序と異なる第２順序で合成された第２立体映像が表示され始めると、前記複数の第１画素をオフさせる段階；を含む。ここで、前記複数の第１画素をオフさせる段階は、前記駆動トランジスタに印加される駆動電圧をオフ電圧にして行う。また、前記第２領域に前記第２立体映像が表示される時点に、前記複数の第２画素をオフさせる段階；及び前記第１領域全体に前記第２立体映像が表示されると、前記複数の第１画素をオンさせる段階；をさらに含む。そして、前記表示部全体に前記第１立体映像が表示される期間及び前記第１領域全体に前記第２立体映像が表示される期間の間は、前記第１サブバリアを不透過領域にし、前記第２サブバリアを透過領域にする段階；及び前記第２領域に前記第２立体映像が表示される時点から、前記第２サブバリアを不透過領域にし、前記第１サブバリアを透過領域にする段階；をさらに含む。 前記複数の画素の各々は、前記走査信号によってターンオンされて前記データ信号を伝達するスイッチング素子；前記スイッチング素子の出力によって駆動されて電流を発生させる駆動トランジスタ；前記電流によって発光する有機発光素子；及び 前記駆動トランジスタ及び前記有機発光素子の間に連結され、前記第１発光制御信号及び第２発光制御信号のうちのいずれか１つによってターンオンされて前記電流を前記有機発光素子に供給する発光制御トランジスタ；を含む。ここで、前記第１順序は左眼映像及び右眼映像の順であり、前記第２順序は前記右眼映像及び前記左眼映像の順である。
【０００８】
そして、本発明による第１サブバリア及び第２サブバリアから構成されたバリア、複数の駆動トランジスタ、複数の発光素子、及び発光制御信号によって前記複数の駆動トランジスタ及び前記複数の発光素子を選択的に連結する複数の発光制御トランジスタを含む複数の画素が配列されている表示部を含む電子映像機器の駆動方法は、前記表示部の複数の画素のうちの複数の第１画素が位置した第１領域及び前記複数の画素のうちの他の複数の第２画素が位置した第２領域全体に第１順序で合成された第１立体映像が表示される段階；前記第１領域に前記第１順序と異なる第２順序で合成された第２立体映像が表示され始めると、前記複数の第１画素の前記発光制御トランジスタをターンオフさせる段階；及び前記第２領域に前記第２立体映像が表示され始める時点に、前記複数の第１画素の前記発光制御トランジスタをターンオンさせ、前記複数の第２画素の前記発光制御トランジスタをターンオフさせる段階；を含む。
【発明の効果】
【０００９】
本発明の特徴によれば、立体映像を表示する間の解像度の減少を防止し、立体映像を鮮明に表示することができる。
【図面の簡単な説明】
【００１０】
【図１】本発明の第１実施例による電子映像機器を示したブロック図である。
【図２】図１に示した画素の等価回路図である。
【図３Ａ】本発明の実施例による時分割駆動方式を示した図面である。
【図３Ｂ】本発明の実施例による時分割駆動方式を示した図面である。
【図４】本発明の実施例によるバリアを示した図面である。
【図５Ａ】本発明の第１実施例による電子映像機器が左右映像（ＬＲ）から右左映像（ＲＬ）に変更される間の表示部を示した図面である。
【図５Ｂ】本発明の第１実施例による電子映像機器が左右映像（ＬＲ）から右左映像（ＲＬ）に変更される間の表示部を示した図面である。
【図５Ｃ】本発明の第１実施例による電子映像機器が左右映像（ＬＲ）から右左映像（ＲＬ）に変更される間の表示部を示した図面である。
【図５Ｄ】本発明の第１実施例による電子映像機器が左右映像（ＬＲ）から右左映像（ＲＬ）に変更される間の表示部を示した図面である。
【図６】第１駆動電圧及び第２駆動電圧（ＥＬＶ１、ＥＬＶ２）を示した図面である。
【図７】第１バリア駆動信号及び第２バリア駆動信号（ＣＢ１、ＣＢ２）を示した図面である。
【図８】本発明の第２実施例による電子映像機器を示したブロック図である。
【図９】図８に示した画素の等価回路図である。
【図１０】第１発光制御信号及び第２発光制御信号（ＥＭ１、ＥＭ２）を示した図面である。
【図１１】第１バリア駆動信号及び第２バリア駆動信号（ＣＢ１、ＣＢ２）を示した図面である。
【発明を実施するための形態】
【００１１】
以下、添付した図面を参照して、本発明の実施例について、本発明が属する技術分野で通常の知識を有する者が容易に実施することができるように詳細に説明する。しかし、本発明は、多様な相異した形態に具現されて、ここで説明する実施例に限定されない。そして、図面では、本発明を明確に説明するために、説明に不必要な部分は省略し、明細書全体を通して類似した部分には、類似した図面符号を付けた。
【００１２】
明細書全体で、ある部分が他の部分と「連結」されているとする時、これは「直接的に連結」されている場合だけでなく、その中間に他の素子をおいて「電気的に連結」されている場合も意味する。また、ある部分がある構成要素を「含む」とする時、これは特に反対になる記載がない限り、他の構成要素を除外するのではなく、他の構成要素をさらに含む場合を意味する。
【００１３】
図１は本発明の第１実施例による電子映像機器を示したブロック図であり、図２は図１に示した画素１１０の等価回路図であり、図３Ａ及び図３Ｂは本発明の実施例による時分割駆動方式を示した図面であり、図４は本発明の実施例によるバリアを示した図面である。
図１を参照すれば、本発明による電子映像機器は、表示部１００、走査駆動部２００、データ駆動部３００、制御部４００、バリア部５００、バリア駆動部６００、及び電圧供給部７００を含む。
表示部１００は、等価回路で見る時、複数の信号線（Ｓ１−Ｓｎ、Ｄ１−Ｄｍ）、複数の電圧線（図示せず）、そして、これに連結されていて、ほぼ行列形態に配列された複数の画素１１０を含む。
【００１４】
信号線（Ｓ１−Ｓｎ、Ｄ１−Ｄｍ）は、走査信号を伝達する複数の走査線（Ｓ１−Ｓｎ）及びデータ信号を伝達する複数のデータ線（Ｄ１−Ｄｍ）を含む。複数の走査線（Ｓ１−Ｓｎ）は、ほぼ行方向にのびていて、互いにほぼ平行であり、複数のデータ線（Ｄ１−Ｄｍ）は、ほぼ列方向にのびていて、互いにほぼ平行である。この時、データ信号は、画素１１０の類型によって電圧信号（以下、「データ電圧」とする）または電流信号（以下、「データ電流」とする）であり、以下では、データ信号がデータ電圧である場合について説明する。
【００１５】
走査駆動部２００は、表示部１００の走査線（Ｓ１−Ｓｎ）に連結されていて、走査線（Ｓ１−Ｓｎ）に順次に走査信号を印加する。ここで、走査信号は、画素１１０のスイッチングトランジスタ（Ｍ２；図２参照）をオン／オフさせる信号である。
データ駆動部３００は、表示部１００のデータ線（Ｄ１−Ｄｍ）に連結されていて、制御部４００から入力される入力映像データ（ＤＲ、ＤＧ、ＤＢ）をデータ電圧に変換して、データ線（Ｄ１−Ｄｍ）に印加する。
図２を参照すれば、各画素１１０、例えばｉ番目（ｉ＝１、２、…、ｎ）の走査線（Ｓｉ）及びｊ番目（ｊ＝１、２、…、ｍ）のデータ線（Ｄｊ）に連結された画素１１０は、有機発光素子（ｏｒｇａｎｉｃ ｌｉｇｈｔ ｅｍｉｔｔｉｎｇ ｅｌｅｍｅｎｔ；ＯＬＥＤ１）、駆動トランジスタ（Ｍ１）、キャパシタ（Ｃ１）、及びスイッチングトランジスタ（Ｍ２）を含む。
【００１６】
有機発光素子（ＯＬＥＤ１）は、有機発光ダイオード（ｏｒｇａｎｉｃ ｌｉｇｈｔ ｅｍｉｔｔｉｎｇ ｄｉｏｄｅ；ＯＬＥＤ）であって、駆動トランジスタ（Ｍ１）の出力端子と連結されているアノード（ａｎｏｄｅ）及び共通電圧（Ｖｓｓ）と連結されているカソード（ｃａｔｈｏｄｅ）を含む。有機発光素子（ＯＬＥＤ１）は、駆動トランジスタ（Ｍ１）の出力電流（ＩＯＬＥＤ）によって異なる強さで発光して、映像を表示する。
【００１７】
有機発光素子（ＯＬＥＤ１）は、基本色（ｐｒｉｍａｒｙ ｃｏｌｏｒ）のうちの１つの光を発光させる。基本色の例としては、赤色、緑色、青色の三原色があり、これら三原色の空間的合計または時間的合計によって所望の色を表示する。この場合、一部の有機発光素子（ＯＬＥＤ１）が白色光を発光させ、このようにすると輝度が向上する。これとは異なって、全ての画素１１０の有機発光素子（ＯＬＥＤ１）が白色光を発光させ、一部の画素１１０が有機発光素子（ＯＬＥＤ１）から発光される白色光を基本色光のうちのいずれか１つに変化させる色フィルタ（図示せず）をさらに含むこともできる。
【００１８】
駆動トランジスタ（Ｍ１）は、制御端子、入力端子、及び出力端子を含む。制御端子はスイッチングトランジスタ（Ｍ２）と連結され、入力端子は電圧供給部７００の出力と連結され、出力端子は有機発光素子（ＯＬＥＤ１）と連結されている。駆動トランジスタ（Ｍ１）は、制御端子及び出力端子の間にかかる電圧によってその大きさが変化する電流（ＩＯＬＥＤ）を流す。
キャパシタ（Ｃ１）は、駆動トランジスタ（Ｍ１）の制御端子及び入力端子の間に連結されている。キャパシタ（Ｃ１）は、駆動トランジスタ（Ｍ１）の制御端子に印加されるデータ電圧を充電して、スイッチングトランジスタ（Ｍ２）がターンオフされた後にもこれを維持する。
【００１９】
スイッチングトランジスタ（Ｍ２）は、制御端子、入力端子、及び出力端子を含む。制御端子は走査線（Ｓｉ）と連結され、入力端子はデータ線（Ｄｊ）と連結され、出力端子は駆動トランジスタ（Ｍ１）と連結されている。スイッチングトランジスタ（Ｍ２）は、走査線（Ｓｉ）に印加される走査信号に応答して、データ線（Ｄｊ）に印加されるデータ信号、つまりデータ電圧を伝達する。
【００２０】
スイッチングトランジスタ（Ｍ２）及び駆動トランジスタ（Ｍ１）は、ｐチャンネル電界効果トランジスタ（ｆｉｅｌｄ ｅｆｆｅｃｔ ｔｒａｎｓｉｓｔｏｒ、ＦＥＴ）である。この場合、制御端子、入力端子、及び出力端子は、各々ゲート、ソース、及びドレインに相当する。しかし、スイッチングトランジスタ（Ｍ２）及び駆動トランジスタ（Ｍ１）のうちの少なくとも１つは、ｎチャンネル電界効果トランジスタでありうる。また、駆動トランジスタ（Ｍ１）、スイッチングトランジスタ（Ｍ２）、キャパシタ（Ｃ１）、及び有機発光素子（ＯＬＥＤ１）の連結関係は変更されてもよい。
【００２１】
再び図１を参照すれば、制御部４００は、外部から入力信号（ＩＳ）、水平同期信号（Ｈｓｙｎｃ）、垂直同期信号（Ｖｓｙｎｃ）、及びメインクロック信号（ＭＣＬＫ）を受信し、走査制御信号（ＣＯＮＴ１）、データ制御信号（ＣＯＮＴ２）、映像データ信号（ＤＲ、ＤＧ、ＤＢ）、バリア駆動部制御信号（ＣＯＮＴ３）、及び電圧供給制御信号（ＣＯＮＴ４）を生成して、各々走査駆動部２００、データ駆動部３００、バリア駆動部５００、及び電圧供給部７００に伝達する。ここで、本発明の第１実施例による電圧供給制御信号（ＣＯＮＴ４）は、表示部１００の第１領域及び第２領域１０２、１０４（図５Ａ乃至図５Ｄ参照）に各々供給される第１駆動電圧（ＥＬＶ１）及び第２駆動電圧（ＥＬＶ２）の電圧レベルを制御するための信号である。具体的に、第１駆動電圧及び第２駆動電圧（ＥＬＶ１、ＥＬＶ２）は、各々の画素１１０をオンさせるためのオン電圧（ＶＯＮ）及びオフさせるためのオフ電圧（ＶＯＦＦ）レベルを有する。ここで、オン電圧（ＶＯＮ）は、駆動トランジスタ（Ｍ１）のゲート電極に印加されるデータ信号（Ｄｊ）の全電圧範囲に対して駆動トランジスタ（Ｍ１）が飽和領域で動作することができるようにする十分に高い電圧（ＶＤＤ）である。本発明の実施例におけるオフ電圧（ＶＯＦＦ）は、駆動トランジスタ（Ｍ１）に電流が流れないようする電圧範囲である。そして、第１領域１０２及び第２領域１０４は、走査線（Ｓ１〜Ｓｎ）のうちのｉ番目の走査線（Ｓｉ）に対応する１行の画素１１０を基準に区分する。そして、本発明の実施例で、ｉ番目の走査線（Ｓｉ）は、表示部１００の中央に位置した画素１１０と連結された線と定義する。
【００２２】
バリア部５００は、立体映像を表示する場合に時分割駆動方式によって動作して、第１バリア駆動信号及び第２バリア駆動信号（ＣＢ１、ＣＢ２）によって駆動される第１サブバリア及び第２サブバリア５０２、５０４（図４参照）を含む。バリア部５００は、平面映像を表示する場合には透過状態になって、表示部１００の映像をそのまま透過させる。
【００２３】
時分割駆動方式は、１）光源を左右に交互に動作させて、プリズム及びレンチキュラーレンズの組み合わせからなる光学素子を利用して、左右を時分割して区分する方法と、２）液晶バリアにおいて光が通過する既存のスリットの１つに該当する区間を複数に区分して、表示するイメージに同期させてスリットを移動させる方法とがある。本発明の実施例による電子映像機器は、２）の方法で駆動される場合を説明する。しかし、本発明はこれに限定されず、１）の方法で駆動される場合には、液晶バリアの代わりに、光源、プリズム、及びレンチキュラーレンズの組み合わせからなる光学素子を利用することができる。また、図３Ａ及び図３Ｂは基本的に両眼の場合を説明したが、本発明はこれに限定されず、多眼である場合にも同一な原理で動作する。
【００２４】
まず、図３Ａは１つのフレームを期間（Ｔ１）及び期間（Ｔ２）の２つの期間に分割して時分割駆動した時に、期間（Ｔ１）の間に、左眼映像及び右眼映像の順に合成された映像（以下、左右映像）が使用者に表示されることを示した図面である。図３Ｂは２番目の期間（Ｔ２）の間に、右眼映像及び左眼映像の順に合成された映像（以下、右左映像）が使用者に表示されることを示した図面である。期間（Ｔ１）及び期間（Ｔ２）の各々は、データ記入期間（Ｗ１、Ｗ２）及び維持期間（Ｈ１、Ｈ２）に区分される。記入期間の間に新たな映像が表示され、画面全体に新たな映像の記入が完了すると、維持期間の間はその画面が維持される。
【００２５】
図３Ａで、期間（Ｔ１）で表示部１００の奇数画素（ＯＰ）は左眼用画素、偶数画素（ＥＰ）は右眼用画素である。この時、バリア層１５０の奇数画素（ＢＯＰ）は不透過領域であり、偶数画素（ＢＥＰ）は透過領域である。したがって、図３Ａに示されているように、左眼映像が左眼に、右眼映像が右眼に投射される経路が形成される。奇数画素（ＯＰ）から投射される左眼用映像は、右眼用映像に対して所定の偏差（ｄｉｓｐａｒｉｔｙ）を有する映像に形成され、偶数画素（ＥＰ）から投射される右眼用映像は、左眼用映像に対して所定の偏差を有する映像に形成される。したがって、使用者は、奇数画素（ＯＰ）から投射される左眼用映像及び偶数画素（ＥＰ）から投射される右眼用映像を各々左眼及び右眼で認識する時に、実際の立体対象物を左眼及び右眼を通して見るような深さ情報を得て、立体感を感じるようになる。
【００２６】
そして、次の図３Ｂで、表示部１００の奇数画素（ＯＰ）は右眼用画素、偶数画素（ＥＰ）は左眼用画素である。この時、バリア層１５０の奇数画素（ＢＯＰ）は透過領域であり、偶数画素（ＢＥＰ）は不透過領域である。したがって、図３Ｂに示されているように、左眼映像が左眼に、右眼映像が右眼に投射される経路が形成される。奇数画素（ＯＰ）から投射される右眼用映像は、左眼用映像に対して所定の偏差を有する映像に形成され、偶数画素（ＥＰ）から投射される左眼用映像は、右眼用映像に対して所定の偏差を有する映像に形成される。したがって、使用者は、奇数画素（ＯＰ）から投射される右眼用映像及び偶数画素（ＥＰ）から投射される左眼用映像を各々右眼及び左眼で認識する時に、実際の立体対象物を左眼及び右眼を通して見るような深さ情報を得て、立体感を感じるようになる。
【００２７】
このように、期間（Ｔ１）では奇数画素が左眼に、偶数画素が右眼に表示され、期間（Ｔ２）では奇数画素が右眼に、偶数画素が左眼に表示される。したがって、使用者は、平面映像と同一な解像度の立体映像を見ることができる。しかし、複数の走査線（Ｓ１−Ｓｎ）に走査信号が伝達されるスキャン方向に沿って順次、映像が表示されるので、左右映像及び右左映像が混ざって見える領域が発生する。
【００２８】
そうすると、右左映像が画面全体に表示された状態で、期間（Ｔ１）の記入期間（Ｗ１）の時点に次のフレームの左右映像が表示され始めると、バリアは右左映像に適したパターンであるにもかかわらず、左右映像が入力されるので、画質が低下する。同様に、期間（Ｔ２）の記入期間（Ｗ２）の時点に右左映像が表示され始めると、バリアは右左映像に適したパターンであるにもかかわらず、左右映像が入力されるので、画質が低下する。
【００２９】
本発明は、このように記入期間の間に左右映像及び右左映像が混ざって見えるのを防止するために、表示部１００を２つの領域１０２、１０４に区分して駆動させる。これについて、図５Ａ乃至図５Ｄを参照して詳細に説明する。
【００３０】
再び、図１及び図４を参照すれば、バリア駆動部６００は、バリア制御信号（ＣＯＮＴ３）によってバリア部５００を動作させる第１バリア駆動信号及び第２バリア駆動信号（ＣＢ１、ＣＢ２）を生成して、バリア部５００に伝達する。第１バリア駆動信号及び第２バリア駆動信号（ＣＢ１、ＣＢ２）の各々は、第１サブバリア５０２及び第２サブバリア５０４に伝達される。第１バリア駆動信号（ＣＢ１）が所定の臨界電圧以上であれば、第１サブバリア５０２が不透過領域になり、第２バリア駆動信号（ＣＢ２）が所定の臨界電圧以上であれば、第２サブバリア５０４が不透過領域になる。本発明の実施例による第１バリア駆動信号及び第２バリア駆動信号（ＣＢ１、ＣＢ２）は、１フレームの間に交互に所定の臨界電圧以上になる。具体的に、表示部１００の走査線（Ｓｉ）に走査信号が入力される時点に同期して電圧が変化する。具体的な説明は図５Ａ乃至図５Ｄを参照して後述する。
【００３１】
電圧供給部７００は、電圧供給制御信号（ＣＯＮＴ４）によって第１駆動電圧及び第２駆動電圧（ＥＬＶ１、ＥＬＶ２）を表示部１００の第１領域及び第２領域１０２、１０４各々に供給する。
【００３２】
このような構成からなる本発明の第１実施例による電子映像機器の駆動方法を説明する。
図５Ａ乃至図５Ｄは本発明の第１実施例による電子映像機器が左右映像（ＬＲ）から右左映像（ＲＬ）に変更される間の表示部１００を示した図面であり、図６は第１駆動電圧及び第２駆動電圧（ＥＬＶ１、ＥＬＶ２）を示した図面であり、図７は第１バリア駆動電圧及び第２バリア駆動信号（ＣＢ１、ＣＢ２）を示した図面である。
【００３３】
図５Ａを参照すれば、表示部１００全体に左右映像（ＬＲ）が表示された状態で、右左映像（ＲＬ）が第１領域１０２に記入され始めると、電圧供給部７００は、第１領域１０２にオフ電圧（ＶＯＦＦ）レベルの第１駆動電圧（ＥＬＶ１）を供給する。そうすると、第１領域１０２に位置した画素１１０の駆動トランジスタ（Ｍ１）がターンオフされる。この時、第２駆動電圧（ＥＬＶ２）はオン電圧（ＶＯＮ）レベルであり、第１バリア駆動信号（ＣＢ１）は所定の臨界電圧以上のレベルを維持する。そして、第２バリア駆動信号（ＣＢ２）は所定の臨界電圧以下のレベルを維持する。したがって、第１サブバリア５０２が不透過領域になって、左右映像（ＬＲ）に適した状態で右左映像（ＲＬ）が記入されても、第１領域１０２がオフ状態であるため、右左映像（ＲＬ）及び左右映像（ＬＲ）が混ざって見えるのを防止することができる。
【００３４】
その後、図５Ｂを参照すれば、右左映像（ＲＬ）が第１領域１０２全体に記入される時点（Ｔ３）に、電圧供給部７００は、第１領域１０２にオン電圧（ＶＯＮ）レベルの第１駆動電圧（ＥＬＶ１）を供給する。この時、電圧供給部７００は、第２領域１０４にオフ電圧（ＶＯＦＦ）レベルの第２駆動電圧（ＥＬＶ２）を供給し、バリア駆動部６００は、第１バリア駆動信号（ＣＢ１）を所定の臨界電圧以下に下降させて、第２バリア駆動信号（ＣＢ２）を所定の臨界電圧以上に上昇させる。そうすると、第１領域１０２に位置した画素１１０の駆動トランジスタ（Ｍ１）はターンオンされ、第２領域１０４に位置した画素１１０の駆動トランジスタ（Ｍ１）はターンオフされる。そして、第１サブバリア５０２は透過領域になり、第２サブバリア５０４は不透過領域になる。つまり、バリア５００が右左映像（ＲＬ）に適したパターンになって、第１領域１０２に右左映像（ＲＬ）が表示される。この時、第２領域１０４はオフ状態になって、左右映像（ＬＲ）は見えなくなる。
【００３５】
その後、図５Ｃを参照すれば、第２領域１０４に右左映像（ＲＬ）が記入され始める。この時、第１駆動電圧（ＥＬＶ１）はオン電圧（ＶＯＮ）レベルを維持し、第２駆動電圧（ＥＬＶ２）はオフ電圧（ＶＯＦＦ）レベルを維持する。そして、第１バリア駆動信号（ＣＢ１）は所定の臨界電圧以下のレベルを維持し、第２バリア駆動信号（ＣＢ２）は所定の臨界電圧以上のレベルを維持する。
【００３６】
その後、図５Ｄを参照すれば、右左映像（ＲＬ）が第２領域１０４全体に記入されると、電圧供給部７００は、第２領域１０４にオン電圧（ＶＯＮ）レベルの第２駆動電圧（ＥＬＶ２）を供給する。そうすると、第１領域及び第２領域１０２、１０４全体に右左映像（ＲＬ）が表示される。
【００３７】
つまり、本発明の第１実施例は、表示部１００を第１領域及び第２領域１０２、１０４に区分して、画素１１０そのものをオン／オフさせることによって、バリア５００を分割しなくても、立体映像の左右映像（ＬＲ）及び右左映像（ＲＬ）が混ざって見えるのを防止することができる。
【００３８】
図８は本発明の第２実施例による電子映像機器を示したブロック図であり、図１に示された構成と同一な構成は同一な図面符号で示した。図９は図８に示した画素１１０−１の等価回路図であり、図１０は第１発光制御信号及び第２発光制御信号（ＥＭ１、ＥＭ２）を示した図面であり、図１１は第１バリア駆動信号及び第２バリア駆動信号（ＣＢ１、ＣＢ２）を示した図面である。
図８を参照すれば、本発明の第２実施例による電子映像機器は、表示部１００−１、走査駆動部２００、データ駆動部３００、制御部４００−１、バリア部５００、及びバリア駆動部６００を含む。走査駆動部２００、データ駆動部３００、バリア部５００、及びバリア駆動部６００の動作は図１の説明と同一であるので、これに対する説明は省略する。
表示部１００−１は、等価回路で見る時、複数の信号線（Ｓ１−Ｓｎ、Ｄ１−Ｄｍ）、複数の電圧線（図示せず）、そして、これに連結されていて、ほぼ行列形態に配列された複数の画素１１０−１を含む。
【００３９】
図９を参照すれば、各画素１１０−１は、有機発光素子（ｏｒｇａｎｉｃ ｌｉｇｈｔ ｅｍｉｔｔｉｎｇ ｅｌｅｍｅｎｔ；ＯＬＥＤ２）、駆動トランジスタ（Ｍ３）、キャパシタ（Ｃ２）、スイッチングトランジスタ（Ｍ４）、及び発光制御トランジスタ（Ｍ５）を含む。
有機発光素子（ＯＬＥＤ２）は、有機発光ダイオード（ｏｒｇａｎｉｃ ｌｉｇｈｔ ｅｍｉｔｔｉｎｇ ｄｉｏｄｅ；ＯＬＥＤ）であって、発光制御トランジスタ（Ｍ５）の出力端子と連結されているアノード（ａｎｏｄｅ）、及び共通電圧（Ｖｓｓ）と連結されているカソード（ｃａｔｈｏｄｅ）を含む。
【００４０】
駆動トランジスタ（Ｍ３）は、制御端子、入力端子、及び出力端子を含む。制御端子はスイッチングトランジスタ（Ｍ４）と連結されており、入力端子は電源電圧（ＶＤＤ）に連結されており、出力端子は有機発光素子（ＯＬＥＤ２）と連結されている。
キャパシタ（Ｃ２）は、駆動トランジスタ（Ｍ３）の制御端子及び入力端子の間に連結されている。スイッチングトランジスタ（Ｍ４）は、制御端子、入力端子、及び出力端子を含む。制御端子は走査線（Ｓｉ）と連結されており、入力端子はデータ線（Ｄｊ）と連結されており、出力端子は駆動トランジスタ（Ｍ３）と連結されている。
【００４１】
発光制御トランジスタ（Ｍ５）は、制御端子、入力端子、及び出力端子を含む。制御端子は第１発光制御信号（ＥＭ１）または第２発光制御信号（ＥＭ２）の印加端と連結されており、入力端子は駆動トランジスタ（Ｍ３）と連結されており、出力端子は有機発光素子（ＯＬＥＤ２）と連結されている。発光制御トランジスタ（Ｍ５）は、第１発光制御信号（ＥＭ１）または第２発光制御信号（ＥＭ２）によってターンオンされると、駆動トランジスタ（Ｍ３）に流れる電流（ＩＯＬＥＤ）を有機発光素子（ＯＬＥＤ２）に供給する役割を果たす。
【００４２】
スイッチングトランジスタ（Ｍ４）、駆動トランジスタ（Ｍ３）、及び発光制御トランジスタ（Ｍ５）は、ｐ−チャンネル電界効果トランジスタ（ｆｉｅｌｄ ｅｆｆｅｃｔ ｔｒａｎｓｉｓｔｏｒ、ＦＥＴ）である。この場合、制御端子、入力端子、及び出力端子は、各々ゲート、ソース、及びドレインに相当する。しかし、スイッチングトランジスタ（Ｍ４）、駆動トランジスタ（Ｍ３）、及び発光制御トランジスタ（Ｍ５）のうちの少なくとも１つは、ｎ−チャンネル電界効果トランジスタでありうる。また、駆動トランジスタ（Ｍ３）、スイッチングトランジスタ（Ｍ４）、キャパシタ（Ｃ２）、発光制御トランジスタ（Ｍ５）、及び有機発光素子（ＯＬＥＤ２）の連結関係は変更されてもよい。
【００４３】
再び図８を参照すれば、制御部４００−１は、外部から入力信号（ＩＳ）、水平同期信号（Ｈｓｙｎｃ）、垂直同期信号（Ｖｓｙｎｃ）、及びメインクロック信号（ＭＣＬＫ）を受信し、走査制御信号（ＣＯＮＴ１）、データ制御信号（ＣＯＮＴ２）、映像データ信号（ＤＲ、ＤＧ、ＤＢ）、バリア駆動部制御信号（ＣＯＮＴ３）、第１発光制御信号及び第２発光制御信号（ＥＭ１、ＥＭ２）を生成して、各々走査駆動部２００、データ駆動部３００、バリア駆動部５００、及び表示部１００−１に伝達する。
【００４４】
ここで、本発明の第２実施例による第１発光制御信号及び第２発光制御信号（ＥＭ１、ＥＭ２）は、表示部１００−１の第１領域及び第２領域１０２、１０４（図５Ａ乃至図５Ｄ参照）に位置した画素１１０−１の発光を制御するための信号である。具体的に、第１発光制御信号及び第２発光制御信号（ＥＭ１、ＥＭ２）は、各々の画素１１０−１をオンさせるためのオン電圧（ＶＯＮ）及びオフさせるためのオフ電圧（ＶＯＦＦ）レベルを有する。ここで、オン電圧（ＶＯＮ）は低電圧レベルであり、オフ電圧（ＶＯＦＦ）は高電圧レベルである。つまり、本発明の第１実施例では、第１駆動電圧及び第２駆動電圧（ＥＶ１、ＥＶ２）を利用して、第１領域及び第２領域１０２、１０４をオン／オフさせることを例に挙げて説明したが、本発明の第２実施例では、第１発光制御信号及び第２発光制御信号（ＥＭ１、ＥＭ２）を利用して、第１領域及び第２領域１０２、１０４をオン／オフさせることを例に挙げて説明する。これを図１０及び図１１を参照して説明する。
【００４５】
図１０を参照すれば、第１領域１０２全体に右左映像（ＲＬ）が記入される時まで（図５Ａ及び図５Ｂ参照）、第１発光制御信号（ＥＭ１）はオフ電圧（ＶＯＦＦ）レベルを維持する。この時、第２発光制御信号（ＥＭ２）は、オン電圧（ＶＯＮ）レベルを有する。したがって、第１領域１０２に位置した画素１１０−１の発光制御トランジスタ（Ｍ５）がターンオフされて、第１領域１０２はオフ状態になる。そして、第１領域１０２全体に右左映像（ＲＬ）が記入される時点（Ｔ４）に、第１発光制御信号（ＥＭ１）はオン電圧（ＶＯＮ）レベルになる。この時、第２発光制御信号（ＥＭ２）は、オフ電圧（ＶＯＦＦ）レベルになる。
【００４６】
したがって、第１領域１０２全体に右左映像（ＲＬ）が記入される時まで、第１領域１０２はオフされ、同様に、第２領域１０４全体に右左映像（ＲＬ）が記入される時まで、第２領域１０４はオフされる。この時、第１バリア駆動信号（ＣＢ１）は、図１１に示されているように、時点（Ｔ４）以前まで臨界電圧以上を維持し、時点（Ｔ４）に臨界電圧以下に下降する。そして、第２バリア駆動信号（ＣＢ２）は、時点（Ｔ３）以前まで臨界電圧以下を維持し、時点（Ｔ３）に臨界電圧以上に上昇する。したがって、本発明の第２実施例は、発光制御トランジスタ（Ｍ５）を別途に含むだけで、本発明の第１実施例と同一な効果を提供する。
【００４７】
前記のように、本発明による電子映像機器及びその駆動方法は、バリアを分割しなくても、表示部の画素そのものをオン／オフさせて、消費電力を減少させることができる。
以上で、本発明の実施例について詳細に説明したが、本発明の権利範囲はこれに限定されず、請求の範囲で定義している本発明の基本概念を利用した当業者の多様な変形及び改良形態も本発明の権利範囲に属する。
【符号の説明】
【００４８】
１００  表示部
１０２  第１領域
１０４  第２領域
１１０  画素
２００  走査駆動部
３００  データ駆動部
４００  制御部
５００  バリア部
５０２  第１サブバリア
５０４  第２サブバリア
６００  バリア駆動部
７００  電圧供給部
【図１】
2010181854.tif 000003
【図２】
2010181854.tif 000004
【図３Ａ】
2010181854.tif 000005
【図３Ｂ】
2010181854.tif 000006
【図４】
2010181854.tif 000007
【図５Ａ】
2010181854.tif 000008
【図５Ｂ】
2010181854.tif 000009
【図５Ｃ】
2010181854.tif 000010
【図５Ｄ】
2010181854.tif 000011
【図６】
2010181854.tif 000012
【図７】
2010181854.tif 000013
【図８】
2010181854.tif 000014
【図９】
2010181854.tif 000015
【図１０】
2010181854.tif 000016
【図１１】
2010181854.tif 000017